【手続補正書】
【提出日】平成19年12月4日(2007.12.4)
【手続補正１】
【補正対象書類名】明細書
【補正対象項目名】特許請求の範囲
【補正方法】変更
【補正の内容】
【特許請求の範囲】
【請求項１】  それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、
前記記録手段を前記記録媒体に対して相対的に、前記配列の方向とは異なる主走査方向へ沿って往復走査する主走査手段と、
前記記録媒体を副走査方向へ沿って上流側から下流側へ副走査する副走査手段と、
前記主走査手段による前記記録手段の走査の間に前記記録手段からインクを吐出して記録を行う記録動作と、前記副走査手段による副走査とを繰り返し、前記記録媒体に対して画像を記録する記録制御手段とを備え、
前記記録制御手段は、第１の吐出口列により画像を完成させる主走査方向への記録走査回数をｍ（ｍは正の整数）回、第２の吐出口列で画像を完成させる主走査方向への記録走査回数をｎ（ｎは正の整数）回、１回の主走査毎に前記副走査手段により前記記録媒体を副走査する量をＬ（Ｌは正の数）とし、前記副走査方向の上流側から使用する吐出口先端部の位置が、前記第１の吐出口列に対し前記第２の吐出口列が下流側へ（ｍ＋ａ）×Ｌの長さ離れていて、ａの値を（ｍ＋ａ）が偶数となる値とするよう制御することを特徴とするインクジェット記録装置。
【請求項２】  それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、
前記記録手段を前記記録媒体に対して相対的に、前記配列の方向とは異なる主走査方向へ沿って往復走査する主走査手段と、
前記記録媒体を副走査方向へ沿って上流側から下流側へ副走査する副走査手段と、
前記主走査手段による前記記録手段の走査の間に前記記録手段からインクを吐出して記録を行う記録動作と、前記副走査手段による副走査とを繰り返し、前記記録媒体に対して画像を記録する記録制御手段とを備え、
前記記録制御手段は、前記第１の吐出口列により画像を完成させるための主走査方向への記録走査回数をｍ（ｍは正の整数）回、前記第２の吐出口列で画像を完成させる主走査方向への記録走査回数をｎ（ｎは正の整数）回で、１主走査毎に副走査方向への記録媒体を搬送する搬送量をＬ（Ｌは正の数）とし、前記記録媒体の副走査の下流方向側から使用する吐出口先端部の位置が、前記第１の吐出口列に対し前記第２の吐出口列が前記副走査方向へ（ｍ＋ａ）×Ｌの長さ離れていて、ａの値は（ｎ＋ａ）が偶数となる値とするよう制御することを特徴とするインクジェット記録装置。
【請求項３】  それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、
前記記録手段を前記記録媒体に対して相対的に、前記配列の方向とは異なる主走査方向へ沿って往復走査する主走査手段と、
前記記録媒体を副走査方向へ沿って上流側から下流側へ副走査する副走査手段と、
前記主走査手段による前記記録手段の走査の間に前記記録手段からインクを吐出して記録を行う記録動作と、前記副走査手段による副走査とを繰り返し、前記記録媒体に対して画像を記録する記録制御手段とを備え、
前記制御手段は、前記第１の吐出口列により画像を完成させるための主走査方向への記録走査回数をｍ（ｍは正の整数）回、第２の吐出口列により画像を完成させる主走査方向への記録走査回数をｎ（ｎは正の整数）回とするとともに、１主走査毎に前記副走査方向へ前記記録媒体を副走査する量を少なくとも２種類備え、前記副走査手段による副走査の上流側から使用する吐出口先端部の位置が、前記第１の吐出口列に対し前記第２の吐出口列が前記少なくとも２種類の副走査の量を用いて（ｍ＋ａ）回連続して搬送する搬送量の長さに等しく、且つａの値を（ｍ＋ａ）が偶数となる値とするよう制御することをことを特徴とするインクジェット記録装置。
【請求項４】  それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、
前記記録手段を前記記録媒体に対して相対的に、前記配列の方向とは異なる主走査方向へ沿って往復走査する主走査手段と、
前記記録媒体を副走査方向へ沿って上流側から下流側へ副走査する副走査手段と、
前記主走査手段による前記記録手段の走査の間に前記記録手段からインクを吐出して記録を行う記録動作と、前記副走査手段による副走査とを繰り返し、前記記録媒体に対して画像を記録する記録制御手段とを備え、
前記記録制御手段は、前記第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に行う前記副走査手段による副走査の量を少なくとも２種類備え、前記副走査の下流方向側から使用する吐出口先端部の位置が、前記第１の吐出口列に対し前記第２の吐出口列が前記少なくとも前記２種類の副走査の量を用いて（ｍ＋ａ）（ａは正の整数）回連続して副走査する量の長さに等しく、ａの値は（ｎ＋ａ）が偶数となる値となるよう制御することを特徴とするインクジェット記録装置。
【請求項５】  前記第１の吐出口列で画像を完成させる１主走査あたりの前記副走査方向へ沿った記録幅と、前記第２の吐出口列で画像を完成させる１主走査あたりの前記副走査方向へ沿った記録幅とが等しいことを特徴とする請求項１乃至４のいずれかに記載のインクジェット記録装置。
【請求項６】  前記第１の吐出口列で画像を完成させる１主走査あたりの前記副走査方向に沿った記録幅と、前記第２の吐出口列で画像を完成させる１主走査あたりの前記副走査方向へ沿った記録幅とが異なることを特徴とする請求項１乃至４のいずれかに記載のインクジェット記録装置。
【請求項７】  前記第１の吐出口列で画像を完成させる１主走査あたりの前記副走査方向へ沿った記録幅に対して、前記第２の吐出口列で画像を完成させる１主走査あたりの前記副走査方向へ沿った記録幅の方が大きいことを特徴とする請求項６に記載のインクジェット記録装置。
【請求項８】  前記第１の吐出口列の複数の吐出口が配列される長さと、前記第２の吐出口列の複数の吐出口が配列される長さとが等しいことを特徴とする請求項１乃至４のいずれかに記載のインクジェット記録装置。
【請求項９】  前記第１の吐出口列の複数の吐出口が配列される長さと、前記第２の吐出口列の複数の吐出口が配列される長さとが異なることを特徴とする請求項１乃至４のいずれかに記載のインクジェット記録装置。
【請求項１０】  前記第１の吐出口列の複数の吐出口が配列される長さが、前記第２の吐出口列の複数の吐出口が配列される長さよりも長いことを特徴とする請求項９に記載のインクジェット記録装置。
【請求項１１】  前記第１の吐出口列と前記第２の吐出口列の少なくとも一方による画像の記録を、１回の主走査により記録される画像を間引くことによって複数回の主走査によって画像を完成させる制御に従って行うことを特徴とする請求項１乃至４のいずれかに記載のインクジェット記録装置。
【請求項１２】  前記第１の吐出口列から吐出するインクのブリストウ法におけるＫａ値が第２の吐出口列から吐出するインクのブリストウ法におけるＫａ値よりも小さいことを特徴とする請求項１乃至４のいずれかに記載のインクジェット記録装置。
【請求項１３】  前記第１の吐出口列は、ブラックのインクを吐出することを特徴とする請求項１乃至４のいずれかに記載のインクジェット記録装置。
【請求項１４】  前記第２の吐出口列は、カラーのインクを吐出することを特徴とする請求項１または２に記載のインクジェット記録装置。
【請求項１５】  前記カラーのインクは、少なくともシアン、マゼンタ、イエローのいずれかであることを特徴とする請求項１４に記載のインクジェット記録装置。
【請求項１６】  前記記録手段は、インクに熱エネルギーを印加する電気熱変換体を備えて、熱エネルギーによりインク中に気泡を発生させてインクを吐出口から吐出させることを特徴とする請求項１乃至１５のいずれかに記載のインクジェット記録装置。
【請求項１７】  それぞれインクを吐出するための複数の吐出口が配列される第１の吐出口列と第２の吐出口列とを有する記録手段を用い、
前記記録手段を前記記録媒体に対して相対的に、前記配列の方向とは異なる主走査方向へ沿って往復走査する主走査手段と、
前記記録媒体を副走査方向へ沿って上流側から下流側へ副走査する副走査手段と、備えて、前記主走査手段による前記記録手段の走査の間に前記記録手段からインクを吐出して記録を行う記録動作と、前記副走査手段による副走査とを繰り返し、前記記録媒体に対して画像を記録するインクジェット記録方法において、第１の吐出口列により画像を完成させる主走査方向への記録走査回数をｍ（ｍは正の整数）回、第２の吐出口列で画像を完成させる主走査方向への記録走査回数をｎ（ｎは正の整数）回、１回の主走査毎に前記副走査手段により前記記録媒体を副走査する量をＬ（Ｌは正の数）とし、前記副走査方向の上流側から使用する吐出口先端部の位置が、前記第１の吐出口列に対し前記第２の吐出口列が下流側へ（ｍ＋ａ）×Ｌの長さ離れていて、ａの値を（ｍ＋ａ）が偶数となる値となるよう制御することを特徴とするインクジェット記録方法。
【請求項１８】  それぞれインクを吐出するための複数の吐出口が配列される第１の吐出口列と第２の吐出口列とを有する記録手段を用い、
前記記録手段を前記記録媒体に対して相対的に、前記配列の方向とは異なる主走査方向へ沿って往復走査する主走査手段と、
前記記録媒体を副走査方向へ沿って上流側から下流側へ副走査する副走査手段と、備えて、前記主走査手段による前記記録手段の走査の間に前記記録手段からインクを吐出して記録を行う記録動作と、前記副走査手段による副走査とを繰り返し、前記記録媒体に対して画像を記録するインクジェット記録方法において、前記第１の吐出口列により画像を完成させるための主走査方向への記録走査回数をｍ（ｍは正の整数）回、前記第２の吐出口列で画像を完成させる主走査方向への記録走査回数をｎ（ｎは正の整数）回で、１主走査毎に副走査方向への記録媒体を搬送する搬送量をＬ（Ｌは正の数）とし、前記記録媒体の副走査の下流方向側から使用する吐出口先端部の位置が、前記第１の吐出口列に対し前記第２の吐出口列が前記副走査方向へ（ｍ＋ａ）×Ｌの長さ離れていて、ａの値は（ｎ＋ａ）が偶数となる値とするよう制御することを特徴とするインクジェット記録方法。
【請求項１９】  それぞれインクを吐出するための複数の吐出口が配列される第１の吐出口列と第２の吐出口列とを有する記録手段を用い、
前記記録手段を前記記録媒体に対して相対的に、前記配列の方向とは異なる主走査方向へ沿って往復走査する主走査手段と、
前記記録媒体を副走査方向へ沿って上流側から下流側へ副走査する副走査手段と、備えて、前記主走査手段による前記記録手段の走査の間に前記記録手段からインクを吐出して記録を行う記録動作と、前記副走査手段による副走査とを繰り返し、前記記録媒体に対して画像を記録するインクジェット記録方法において、前記第１の吐出口列により画像を完成させるための主走査方向への記録走査回数をｍ（ｍは正の整数）回、第２の吐出口列により画像を完成させる主走査方向への記録走査回数をｎ（ｎは正の整数）回とするとともに、１主走査毎に前記副走査方向へ前記記録媒体を副走査する量を少なくとも２種類備え、前記副走査手段による副走査の上流側から使用する吐出口先端部の位置が、前記第１の吐出口列に対し前記第２の吐出口列が前記少なくとも２種類の副走査の量を用いて（ｍ＋ａ）回連続して搬送する搬送量の長さに等しく、且つａの値を（ｍ＋ａ）が偶数となる値とするよう制御することをことを特徴とするインクジェット記録方法。
【請求項２０】  それぞれインクを吐出するための複数の吐出口が配列される第１の吐出口列と第２の吐出口列とを有する記録手段を用い、
前記記録手段を前記記録媒体に対して相対的に、前記配列の方向とは異なる主走査方向へ沿って往復走査する主走査手段と、
前記記録媒体を副走査方向へ沿って上流側から下流側へ副走査する副走査手段と、備えて、前記主走査手段による前記記録手段の走査の間に前記記録手段からインクを吐出して記録を行う記録動作と、前記副走査手段による副走査とを繰り返し、前記記録媒体に対して画像を記録するインクジェット記録方法において、前記第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に行う前記副走査手段による副走査の量を少なくとも２種類備え、前記副走査の下流方向側から使用する吐出口先端部の位置が、前記第１の吐出口列に対し前記第２の吐出口列が前記少なくとも前記２種類の副走査の量を用いて（ｍ＋ａ）（ａは正の整数）回連続して副走査する量の長さに等しく、ａの値は（ｎ＋ａ）が偶数となる値となるよう制御することを特徴とするインクジェット記録方法。
【手続補正２】
【補正対象書類名】明細書
【補正対象項目名】００２８
【補正方法】変更
【補正の内容】
【００２８】
また、本発明は、前記第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に行う前記副走査手段による副走査の量を少なくとも２種類備え、前記副走査の下流方向側から使用する吐出口先端部の位置が、前記第１の吐出口列に対し前記第２の吐出口列が前記少なくとも前記２種類の副走査の量を用いて（ｍ＋ａ）（ａは正の整数）回連続して副走査する量の長さに等しく、ａの値は（ｎ＋ａ）が偶数となる値となるよう制御することを特徴とする。